(57)【要約】【課題】組み付けに係る作業性を向上させ、また、スイッチ用の大きなスペースを必要とせず、意匠部の形成を容易にしたメータモジュールを提供する。【解決手段】インストルメントパネル２２、インストルメントパネル２２に取り付けられるメータ２３、メータ２３の前面に設けられるインストルメントクラスター２４、インストルメントクラスター２４のベースパネル２５に取り付けられる一体型スイッチ２６を備えてメータモジュール２１を構成する。一体型スイッチ２６は、表シート５１、可動側の接点、固定側の接点と外部接続に係る接続用回路体５５とを備えた回路体、一又は複数のスペーサシートを有する。インストルメントクラスター２４には、接続用回路体５５をインストルメントパネル２２の内側に引き出すための引き出し部４３を形成する。【選択図】    図１
2004231074.tif 000002
【特許請求の範囲】
【請求項１】
インストルメントパネル、該インストルメントパネルに取り付けられるメータ、該メータの前面に設けられるインストルメントクラスター、該インストルメントクラスターのベースパネルに取り付けられる一体型スイッチを備え、
該一体型スイッチは、複数の押圧部が形成されるとともに該押圧部周辺一帯のスイッチ操作部分と前記ベースパネルの表面を被覆する被覆部分とが連続するシート本体を備えた表シート、前記押圧部の押圧移動に伴って変位する可動側の接点、該可動側の接点に対向して接触し合う固定側の接点及び外部接続に係る接続用回路体を備えた回路体、前記表シートと前記回路体との間に介在するとともに前記可動側の接点と前記固定側の接点との接触を確保するための貫通孔を形成した一又は複数のスペーサシートを有し、
前記インストルメントクラスターには、前記接続用回路体を前記インストルメントパネルの内側に引き出すための引き出し部を形成した
ことを特徴とするメータモジュール。
【請求項２】
請求項１に記載のメータモジュールにおいて、
前記表シート本体に、前記ベースパネルの側部を覆うための第一折り曲げ処理部を連成した
ことを特徴とするメータモジュール。
【請求項３】
請求項１に記載のメータモジュールにおいて、
前記表シート本体に、前記ベースパネルに形成した貫通孔内面を覆うための第二折り曲げ処理部を連成した
ことを特徴とするメータモジュール。
【請求項４】
請求項１ないし請求項３いずれか記載のメータモジュールにおいて、
前記メータのケース外面に、前記接続用回路体を固定するための固定部を形成した
ことを特徴とするメータモジュール。
【請求項５】
請求項４に記載のメータモジュールにおいて、
前記固定部を前記インストルメントクラスターにも形成した
ことを特徴とするメータモジュール。
【発明の詳細な説明】
【０００１  】
【発明の属する技術分野】
本発明は、自動車用のメータモジュールに関する。
【０００２  】
【従来の技術】
図６において、自動車構成部品のうちの一つであるインストルメントパネル１は、複数のスイッチ２〜６を有している。その複数のスイッチ２〜６は、計器類７の周りの適宜位置にそれぞれ設けられている。例えばスイッチ２の構成を図７を参照しながら説明すると、そのスイッチ２は、回路体８とラバースイッチ９、９とキートップ１０、１０とベゼル１１とを有して構成されている（例えば特許文献１参照）。
【０００３  】
回路体８は、硬質板１２を有しており、そこには複数の回路１３が適宜パターンで配索されている。また、回路１３上には、ラバースイッチ９、９に対する接点１４、１４と、複数の電気機能部品１５とが設けられている。図７における引用符号１６はＦＦＣを示しており、１７はそのＦＦＣ１６の接続部を示している。
【０００４  】
上記構成において、回路体８は、硬質板１２を介してインストルメントパネル１の内側に取り付けられる。また、回路体８の接点１４、１４の上には、ラバースイッチ９、９が取り付けられる。さらに、そのラバースイッチ９、９の上には、キートップ１０、１０、及びベゼル１１が順次取り付けられる。尚、ベゼル１１は、インストルメントパネル１に形成された開口部に嵌合する。また、キートップ１０、１０の表面及びベゼル１１の表面には、印刷や装飾等によって意匠部１８が設けられている。
【０００５  】
【特許文献１】
特開平６−２４２８０号公報  （第４頁、第２−３図）
【０００６  】
【発明が解決しようとする課題】
ところで、上記従来技術にあっては、スイッチ数に応じた電気的な接続作業、及びベゼル１１等の意匠部品を取り付けるための取り付け作業が必要であり、これら各作業が煩雑であることから、全体的に見ると組み付けに係る作業性があまりよいとは言えない状況になっていた。
【０００７  】
その他、上記従来技術のスイッチ２にあっては、図中に示される如く十分な厚みを有していることから、インストルメントパネル１の内側に大きな収納スペースを設けなければならないという問題点を有していた（他のスイッチ３〜６も同様）。また、各スイッチ毎に一々、意匠部１８を形成しなければならないという問題点を有していた。
【０００８  】
本発明は、上述した事情に鑑みてなされるもので、組み付けに係る作業性を向上させることが可能なメータモジュールを提供することを課題とする。また、スイッチ用の大きなスペースを必要とせず、意匠部形成が容易なメータモジュールを提供することを課題とする。
【０００９  】
【課題を解決するための手段】
上記課題を解決するためなされた請求項１記載の本発明のメータモジュールは、インストルメントパネル、該インストルメントパネルに取り付けられるメータ、該メータの前面に設けられるインストルメントクラスター、該インストルメントクラスターのベースパネルに取り付けられる一体型スイッチを備え、該一体型スイッチは、複数の押圧部が形成されるとともに該押圧部周辺一帯のスイッチ操作部分と前記ベースパネルの表面を被覆する被覆部分とが連続するシート本体を備えた表シート、前記押圧部の押圧移動に伴って変位する可動側の接点、該可動側の接点に対向して接触し合う固定側の接点及び外部接続に係る接続用回路体を備えた回路体、前記表シートと前記回路体との間に介在するとともに前記可動側の接点と前記固定側の接点との接触を確保するための貫通孔を形成した一又は複数のスペーサシートを有し、前記インストルメントクラスターには、前記接続用回路体を前記インストルメントパネルの内側に引き出すための引き出し部を形成したことを特徴としている。
【００１０  】
請求項２記載の本発明のメータモジュールは、請求項１に記載のメータモジュールにおいて、前記表シート本体に、前記ベースパネルの側部を覆うための第一折り曲げ処理部を連成したことを特徴としている。
【００１１  】
請求項３記載の本発明のメータモジュールは、請求項１に記載のメータモジュールにおいて、前記表シート本体に、前記ベースパネルに形成した貫通孔内面を覆うための第二折り曲げ処理部を連成したことを特徴としている。
【００１２  】
請求項４記載の本発明のメータモジュールは、請求項１ないし請求項３いずれか記載のメータモジュールにおいて、前記メータのケース外面に、前記接続用回路体を固定するための固定部を形成したことを特徴としている。
【００１３  】
請求項５記載の本発明のメータモジュールは、請求項４に記載のメータモジュールにおいて、前記固定部を前記インストルメントクラスターにも形成したことを特徴としている。
【００１４  】
請求項１に記載された本発明によれば、表シートに複数の押圧部が形成される。また、表シートにおいては、押圧部周辺一帯のスイッチ操作部分とベースパネルの表面を被覆する被覆部分とが連続形成される。さらに、表シートは意匠部を一括して形成することが可能なものに形成される。従って、スイッチ操作が集約された一体型スイッチが得られる。また、ベースパネルへの取り付けが簡素化された一体型スイッチが得られる。さらに、意匠部の形成を容易にした一体型スイッチが得られる。その他、一体型スイッチは、接点を除き主として平面的な部材で構成される。従って、薄型となる一体型スイッチが得られる。このような一体型スイッチをインストルメントクラスターのベースパネルに取り付けるとともに、そのインストルメントクラスターをインストルメントパネルに取り付けたメータの前面に設けると、メータモジュールが得られる。本発明に係るメータモジュールは、組み付けに係る作業性がよく、また、スイッチ用の大きなスペースが不要であって、意匠部の形成が容易になるという利点を有する。
【００１５  】
請求項２に記載された本発明によれば、表シート本体に第一折り曲げ処理部が連成される。その第一折り曲げ処理部は、一体型スイッチがベースパネルに取り付けられるとそのベースパネルの側部を覆うように形成される。従って、一体型スイッチとベースパネルとの境界部分を隠した見栄えのよいメータモジュールが得られる。
【００１６  】
請求項３に記載された本発明によれば、表シート本体に第二折り曲げ処理部が連成される。その第二折り曲げ処理部は、一体型スイッチがベースパネルに取り付けられるとそのベースパネルの貫通孔内面を覆うように形成される。従って、一体型スイッチとベースパネルの貫通孔との境界部分を隠した見栄えのよいメータモジュールが得られる。
【００１７  】
請求項４に記載された本発明によれば、メータのケース外面に固定部が形成される。その固定部は、一体型スイッチの接続用回路体を固定することができるように形成される。これにより接続用回路体は、メータのケース外面に沿って外側配索される。また、インストルメントパネルの内側でその弛みの発生が規制される。従って、例えば組み付け時の干渉等が避けられる。また、走行時の異音や損傷が避けられる。
【００１８  】
請求項５に記載された本発明によれば、上記固定部がインストルメントクラスターにも形成される。従って、接続用回路体の弛みの発生が更に規制される。
【００１９  】
【発明の実施の形態】
以下、図面を参照して本発明の実施の形態を説明する。
図１は本発明のメータモジュールの一実施の形態を示す分解斜視図である。また、図２はメータモジュールの断面図、図３は図２の要部を拡大した断面図、図４は一体型スイッチの構成を示す断面図である。
【００２０  】
図１ないし図３において、引用符号２１は本発明に係るメータモジュールを示している。そのメータモジュール２１は、自動車の車室に取り付けられるものであって、インストルメントパネル２２と、インストルメントパネル２２に取り付けられるメータ２３と、メータ２３の前面に設けられるインストルメントクラスター２４と、インストルメントクラスター２４のベースパネル２５に取り付けられる一体型スイッチ２６とを備えて構成されている。以下、上記各構成部材について詳細に説明する。
【００２１  】
上記インストルメントパネル２２は、上記車室の前部に取り付けられるものであって、車幅方向に長く横たわるように形成されている。このようなインストルメントパネル２２には、メータ２３に対する収納部２７と、インストルメントクラスター２４のベースパネル２５に対する取り付け部２８とが形成されている。
【００２２  】
収納部２７は、メータ２３の外形形状に合わせてインストルメントパネル２２を貫通するように形成されている。収納部２７の開口縁部には、インストルメントクラスター２４のメータ枠部２９を係止するための係止部３０が複数形成されている。取り付け部２８は、収納部２７の下側に形成されている。取り付け部２８には、ベースパネル２５を係止するための係止部３１が複数形成されている。また、取り付け部２８には、キーシリンダー３２が取り付けられている。
【００２３  】
上記メータ２３は、いわゆるコンビネーションメータであって、メータ表ガラス３３とケース３４とを備えている。メータ表ガラス３３及びケース３４により形成される内部空間には、文字板３５とその文字板３５の後方に配置される制御基板３６とが設けられている。また、上記内部空間には、文字板３５と制御基板３６とに跨って図示しないスピードメータ、タコメータ、水温計、及び燃料計が組み付けられている。その他には、各計器の内機、オドメータ・トリップメータ、導光板、照明用バルブ等が組み付けられている。
【００２４  】
ケース３４には、その前面にメータ表ガラス３３を固定するための部分が形成されている。また、ケース３４には、その内側に文字板３５及び制御基板３６を固定するための部分が形成されている。このようなケース３４の上方側の外面には、係止部３７が複数形成されている。また、ケース３４の下方側の外面には、ボス形状の固定部３８が複数形成されている。さらに、ケース３４の後部には、貫通孔形状のコネクタ接続部３９が形成されている。係止部３７は、メータ２３をインストルメントクラスター２４のメータ枠部２９に係止するための部分として形成されている。固定部３８及びコネクタ接続部３９については一体型スイッチ２６の説明の際に触れることにする。
【００２５  】
上記インストルメントクラスター２４は、インストルメントパネル２２の収納部２７の前面に取り付けられるメータ枠部２９と、インストルメントパネル２２の取り付け部２８の前面に取り付けられるベースパネル２５とを備えている。メータ枠部２９には、収納部２７の係止部３０に係止される係止突起４０が複数形成されている。また、メータ枠部２９には、メータ２３を固定するための係止突起４１が複数形成されている。ベースパネル２５には、キーシリンダー３２用の貫通孔４２と、一体型スイッチ２６に対する引き出し部４３とが形成されている。また、ベースパネル２５の内側には、取り付け部２８の係止部３１に係止される係止突起４４が複数形成されている。メータ枠部２９とベースパネル２５との間には、溝部４５が形成されている。
【００２６  】
図１ないし図４において、上記一体型スイッチ２６は、インストルメントクラスター２４のベースパネル２５に対し、そのベースパネル２５の表面全体を被覆するようなスイッチとして構成されている。また、一体型スイッチ２６は、平面的な部材を主として用いて構成されている。すなわち、一体型スイッチ２６は、表シート５１と、可動側の接点５２と、スペーサシート５３と、固定側の接点５４及び接続用回路体５５を有する回路体５６とを備えて構成されている。一体型スイッチ２６は、このような構成によって薄型に形成されている。
【００２７  】
表シート５１は、例えばポリエチレンテレフタレート（ＰＥＴ）又はポリエチレンナフタレート（ＰＥＮ）からなる合成樹脂製の柔軟性を有するシート部材であって、ベースパネル２５に対する意匠一体パネルとしての機能を有するように形成されている。また、表シート５１は、シート本体５７とそのシート本体５７の縁部に連成される第一折り曲げ処理部５８及び第二折り曲げ処理部５９とを有している。
【００２８  】
シート本体５７は、スイッチ操作部分６０、６０と、ベースパネル２５の表面を被覆する被覆部分６１とを有しており、これらが連続（見切り線無しの状態で）するように形成されている。スイッチ操作部分６０、６０には、ドーム形状の突出部６２（特許請求の範囲に記載した押圧部に相当）と、スイッチ機能を示す様々な意匠部６３とが複数形成されている。
【００２９  】
尚、表シート５１は、上記材質であることから元々透明であって、本形態においては、表シート５１の内面又は外面に背景色が印刷されている。また、その背景色とは別の色で意匠部６３が印刷により形成されている。
【００３０  】
突出部６２は、エンボス加工により形成されており、表シート５１の表面側に突出するように形成されている。また、突出部６２は、表シート５１の裏面側に反転可能となるように形成されている。本形態において突出部６２は、平面視丸形に形成されているが、この限りではないものとする。このような突出部６２の内側（突出部内面）には、回路体５６に対する可動側の接点５２が設けられている。その可動側の接点５２は、カーボン等からなり突出部内面の頂部に例えば印刷によって設けられている。
【００３１  】
第一折り曲げ処理部５８及び第二折り曲げ処理部５９は、一体型スイッチ２６とベースパネル２５との境界部分を隠して見栄えを向上させるための部分であって、本形態においては、第一折り曲げ処理部５８がベースパネル２５の側部を、また、第二折り曲げ処理部５９がベースパネル２５のキーシリンダー３２用の貫通孔４２（貫通孔４２の内面）を覆うようになっている。尚、ベースパネル２５の側部を覆う際に、第一折り曲げ処理部５８の一部がメータ枠部２９とベースパネル２５との間の溝部４５に差し込まれるような状態になるものとする。
【００３２  】
スペーサシート５３は、例えばポリエチレンテレフタレート（ＰＥＴ）又はポリエチレンナフタレート（ＰＥＮ）からなる合成樹脂製の柔軟性を有するシート部材であって、表シート５１の変形防止と、突出部６２の反転の際の空気抜きと、突出部６２のストローク寸法確保とを実現するために設けられている。スペーサシート５３は、表シート５１のスイッチ操作部分６０、６０の大きさに応じて、若しくは表シート５１と同じ大きさに形成されている。スペーサシート５３の表裏面には、接着層６４がそれぞれ設けられている。スペーサシート５３は、上記表面側から表シート５１の裏面に密着して固定されるとともに、回路体５６を上記裏面に固定することができるように形成されている。
【００３３  】
このようなスペーサシート５３は、突出部６２の位置に対応して形成される貫通孔６５と、図示しない空気逃がし部とを有している。貫通孔６５は、突出部６２の直径よりも大きな直径を有するように形成されている（突出部６２の直径と同じであってもよいものとする）。貫通孔６５には、反転した突出部６２が挿通されるようになっている。
【００３４  】
回路体５６は、本形態において既知のＦＰＣ（ＦＰＣ：フレキシブル・プリント・サーキット）が用いられている。回路体５６は、図示しないスイッチ回路を有する回路体本体と、外部との電気的な接続に用いられる接続用回路体５５とを備えて構成されている。上記回路体本体のスペーサシート５３側には、上記可動側の接点５２が接触する固定側の接点５４が設けられている。固定側の接点５４は、可動側の接点５２に対向するように配置形成されている。上記回路体本体の裏面には、スペーサシート５３のものと同様の接着層６４が設けられている。一体型スイッチ２６は、上記回路体本体の裏面がベースパネル２５に接着固定されるようになっている。
【００３５  】
接続用回路体５５は、上記回路体本体から引き出されるように形成されている。また、接続用回路体５５は、ベースパネル２５の引き出し部４３を介してベースパネル２５の内側に引き出されるように形成されている。接続用回路体５５は、引き出し部４３から引き出された後、ケース３４の外面に沿って外側配索されるようになっている。このような接続用回路体５５には、図示しない貫通孔が形成されており、インストルメントクラスター２４のメータ枠部２９に形成されたボス形状の固定部６６、及びケース３４の固定部３８に差し込まれると、接続用回路体５５は固定されてその弛みが吸収されるようになっている。接続用回路体５５の端部には、コネクタ６７が設けられており、コネクタ接続部３９を介して制御基板３６に電気的に接続されるようになっている。
【００３６  】
尚、回路体５６は、ＦＰＣに替えて既知のプリント基板（ＰＣＢ）を用いてもよいものとする。また、接続用回路体５５は、ＦＰＣに替えて既知のＦＦＣ（ＦＦＣ：フレキシブル・フラット・ケーブル）等を用いてもよいものとする。
【００３７  】
上記構成において、一体型スイッチ２６は次のように組み付けられる。先ず、スペーサシート５３の裏面に回路体５６を接着固定し、次に、これらをスペーサシート５３の表面側から表シート５１の裏面に接着固定することにより組み付けられる。そして、このように組み付けられた一体型スイッチ２６は、ベースパネル２５の表面を覆うようにして取り付けられる。この時、接続用回路体５５は、引き出し部４３を介して引き出される。一体型スイッチ２６は、スイッチ操作が集約されたスイッチであり、また、ベースパネルへの取り付けが簡素化されたスイッチである。さらには、意匠部の形成が容易となるスイッチである。
【００３８  】
一体型スイッチ２６は、次のように作用する（作用図面は省略する）。図４において、スイッチ操作前となる突出部６２に荷重が掛かっていない状態では、突出部６２自体の保形性によって、その形状が保持された状態にある。そして、スイッチ操作がなされ、突出部６２がスイッチ操作をする者の指により押圧されると（突出部６２に荷重を掛ける押圧操作）、突出部６２が指の押圧による荷重に抗しながら、ある荷重を境にして座屈し反転する（この時、クリック感が生じる）。
【００３９  】
突出部６２が座屈、反転するとその反転方向の荷重が減少し、突出部６２の押圧がスムーズに進行する。反転した突出部６２は更に押し込まれてスペーサシート５３の貫通孔６５に挿通され、その貫通孔６５を介して突出部６２に設けられた可動側の接点５２が回路体５６の固定側の接点５４に接触する。
【００４０  】
これにより、回路体５６の図示しないスイッチ回路が導通状態となり、一体型スイッチ２６の操作したスイッチはＯＮされる。一方、上記指が離され上記反転方向の荷重が解除されると、突出部６２はもとの状態に復帰する。そして、これに伴って導通状態が解除され、一体型スイッチ２６の操作したスイッチはＯＦＦされる。
【００４１  】
尚、一体型スイッチ２６に替えて次のような構成を有する薄型のスイッチを用いてもよいものとする。
【００４２  】
図５において、一体型スイッチ２６′は、インストルメントクラスター２４のベースパネル２５に対し、そのベースパネル２５の表面全体を被覆するようなスイッチとして構成されている。また、一体型スイッチ２６′は、平面的な部材を主として用いて構成されている。一体型スイッチ２６′は、照光機能を有しており、表シート７１と、スペーサシート７２と、メンブレンシート７３と、第二スペーサシート（スペーサシート）７４と、可動側の接点７５と、固定側の接点７６、接続用回路体７７、及び発光素子７８を有する回路体７９とを備えて構成されている。一体型スイッチ２６′は、このような構成によって薄型に形成されている。
【００４３  】
表シート７１は、光透過性を有しており、基本的に上述の表シート５１と同様に形成されている。上述の表シート５１と違う点は、可動側の接点７５が設けられてない点と、発光素子７８からの光８０により照光される照光部が新たに設けられている点とが異なっている。上記照光部は、本形態において、突出部８１の全体にわたって形成されている（照光部の配置及び数は任意であるものとする。また、照光部以外は背景色の印刷や光反射・拡散層等の形成がなされているものとする）。
【００４４  】
スペーサシート７２は、光透過性を有しており、基本的に上述のスペーサシート５３と同様に形成されている。上述のスペーサシート５３と違う点は、貫通孔８２の他に発光素子７８を収容するための収容部８３が新たに設けられている点が異なっている。スペーサシート７２は、本形態において、発光素子７８からの光８０を導光するようになっている。
【００４５  】
メンブレンシート７３は、例えばポリエチレンテレフタレート（ＰＥＴ）又はポリエチレンナフタレート（ＰＥＮ）からなる合成樹脂製の柔軟性を有する薄肉のシート部材であって、その裏面の所定位置には、回路体７９に対する可動側の接点７５が設けられている。また、メンブレンシート７３には、発光素子７８が挿通される収容部８４が形成されている。
【００４６  】
第二スペーサシート７４は、例えばポリエチレンテレフタレート（ＰＥＴ）又はポリエチレンナフタレート（ＰＥＮ）からなる合成樹脂製の柔軟性を有するシート部材であって、メンブレンシート７３の変形防止及びメンブレンシート７３のストローク寸法確保を実現するために設けられている。第二スペーサシート７４の表裏面には、接着層がそれぞれ設けられており、メンブレンシート７３と回路体７９とを各々上記表裏面に固定することができるようになっている。このような第二スペーサシート７４は、可動側の接点７５の位置に対応して形成される貫通孔８５と、発光素子７８が挿通される収容部８６とを有している。
【００４７  】
回路体７９は、本形態において既知のＦＰＣ（ＦＰＣ：フレキシブル・プリント・サーキット）が用いられている。回路体７９は、図示しないスイッチ回路を有する回路体本体と、外部との電気的な接続に用いられる接続用回路体７７とを備えて構成されている。上記回路体本体の第二スペーサシート７４側には、上記可動側の接点７５が接触する固定側の接点７６と、スイッチ操作部分に対しての照光機能を構成する一又は複数の発光素子７８（例えば既知のＬＥＤ）とが設けられている。一体型スイッチ２６′は、上記回路体本体の裏面がベースパネル２５に接着固定されるようになっている。
【００４８  】
上記構成において、一体型スイッチ２６′は次のように組み立てられる。先ず、メンブレンシート７３を第二スペーサシート７４の表面に接着固定するとともに、回路体７９を第二スペーサシート７４の裏面に接着固定する。次いで、スペーサシート７２の裏面にメンブレンシート７３、第二スペーサシート７４、及び回路体７９で構成されるスイッチ部分を接着固定し、これらをスペーサシート７２の表面側から表シート７１の裏面に接着固定することにより組み立てられる。そして、このように組み立てられた一体型スイッチ２６′は、ベースパネル２５（図１参照）の表面を覆うようにして取り付けられる。尚、一体型スイッチ２６′は、次のように作用する（作用図面は省略する）。
【００４９  】
スイッチ操作前となる突出部８１に荷重が掛かっていない状態では、突出部８１自体の保形性によって、その形状が保持された状態にある。そして、スイッチ操作がなされ、突出部８１がスイッチ操作をする者の指により押圧されると（突出部８１に荷重を掛ける押圧操作）、突出部８１が指の押圧による荷重に抗しながら、ある荷重を境にして座屈し反転する（この時、クリック感が生じる）。
【００５０  】
突出部８１が座屈、反転するとその反転方向の荷重が減少し、突出部８１の押圧がスムーズに進行する。反転した突出部８１は更に押し込まれてスペーサシート７２の貫通孔８２に挿通され、メンブレンシート７３を押圧する。メンブレンシート７３が押圧されると撓みが生じ、そのメンブレンシート７３に設けられた可動側の接点７５が第二スペーサシート７４の貫通孔８５を介して回路体７９の固定側の接点７６に接触する。
【００５１  】
これにより、回路体７９の図示しないスイッチ回路が導通状態となり、一体型スイッチ２６′の操作したスイッチはＯＮされる。一方、上記指が離され上記反転方向の荷重が解除されると、メンブレンシート７３及び突出部８１はもとの状態に復帰する。そして、これに伴って導通状態が解除され、一体型スイッチ２６′の操作したスイッチはＯＦＦされる。
【００５２  】
スイッチ操作部分に対しての照光機能は、次のように作用する。例えば暗所などにおいて、ライトの点灯に伴い回路体７９に実装された発光素子７８が発光する。そして、その発光素子７８が発光すると、発光素子７８からの光８０は、収容部８３の壁面を介してスペーサシート７２内に入射し導光される。その後、導光された光８０は貫通孔８２の壁面から出射され、そして、出射された光８０は、照光部を照光してスイッチ操作部分を明るく照らす。
【００５３  】
以上、図１ないし図５までを参照しながら説明してきたように、本発明のメータモジュール２１は、組み付けに係る作業性がよく、また、スイッチ用の大きなスペースが不要であって、意匠部の形成が容易になるという利点を有している。
【００５４  】
その他、本発明は本発明の主旨を変えない範囲で種々変更実施可能なことは勿論である。尚、上述では反転可能なドーム形状の突出部６２（８１）を押圧部として表シート５１（７１）に形成したドームスイッチを用いているが、突出部のない形態のメンブレンスイッチや、クリックシートスイッチ、シートスイッチ、フィルムスイッチ、ラバー（シート）スイッチを用いてもよいものとする。
【００５５  】
【発明の効果】
以上説明したように、請求項１に記載された本発明によれば、組み付けに係る作業性を向上させたメータモジュールを提供することができるという効果を奏する。また、スイッチ用の大きなスペースが不要なメータモジュールを提供することができるという効果を奏する。さらに、意匠部の形成が容易となるメータモジュールを提供することができるという効果を奏する。
【００５６  】
請求項２に記載された本発明によれば、一体型スイッチとベースパネルの境界部分を隠すことができる。従って、メータモジュールの見栄えをよりよくすることができるという効果を奏する。
【００５７  】
請求項３に記載された本発明によれば、一体型スイッチとベースパネルの貫通孔との境界部分を隠すことができる。従って、メータモジュールの見栄えをよりよくすることができるという効果を奏する。
【００５８  】
請求項４に記載された本発明によれば、インストルメントパネルの内側で接続用回路体の弛みの発生を規制することができる。従って、例えば組み付け時の干渉等を避けることができるという効果を奏する。また、走行時の異音や損傷を避けることができるという効果を奏する。
【００５９  】
請求項５に記載された本発明によれば、接続用回路体の弛みの発生を更に規制することができるという効果を奏する。
【図面の簡単な説明】
【図１】本発明によるメータモジュールの一実施の形態を示す分解斜視図である。
【図２】メータモジュールの断面図である。
【図３】図２の要部を拡大した断面図である。
【図４】一体型スイッチの構成を示す断面図である。
【図５】他の一体型スイッチの構成を示す断面図である。
【図６】従来例を説明するためのインストルメントパネルの斜視図である。
【図７】図６のスイッチの分解斜視図である。
【符号の説明】
２１  メータモジュール
２２  インストルメントパネル
２３  メータ
２４  インストルメントクラスター
２５  ベースパネル
２６  一体型スイッチ
２７  収納部
２８  取り付け部
２９  メータ枠部
３０、３１、３７  係止部
３２  キーシリンダー
３３  メータ表ガラス
３４  ケース
３５  文字板
３６  制御基板
３８、６６  固定部
３９  コネクタ接続部
４０、４１、４４  係止突起
４２  貫通孔
４３  引き出し部
４５  溝部
５１  表シート
５２  可動側の接点
５３  スペーサシート
５４  固定側の接点
５５  接続用回路体
５６  回路体
５７  シート本体
５８  第一折り曲げ処理部
５９  第二折り曲げ処理部
６０  スイッチ操作部分
６１  被覆部分
６２  突出部（押圧部）
６３  意匠部
６４  接着層
６５  貫通孔
６７  コネクタ
【図１】
2004231074.tif 000003
【図２】
2004231074.tif 000004
【図３】
2004231074.tif 000005
【図４】
2004231074.tif 000006
【図５】
2004231074.tif 000007
【図６】
2004231074.tif 000008
【図７】
2004231074.tif 000009